(57)【要約】  原子炉ヘッドの上部に設置され、原子炉ヘッドと制御棒駆動装置との引き揚げ及び挿入、制御棒駆動装置の冷却、飛散物の遮蔽、地震荷重に対する支持の機能を行い、制御棒駆動装置に加えられる荷重を分散するための耐震支持構造物を含む原子炉上部集合体において、制御棒駆動装置用耐震支持構造物の上側に位置した構成品の組み立て体である上部モジュールと、耐震支持構造物の下側に位置した構成品の組み立て体である下部モジュールとから構成され、制御棒駆動装置の維持及び補修を容易に行えるように、上部モジュールと下部モジュールは、互いに分離可能に結合していることを特徴とするモジュール型の原子炉上部集合体を提供する。
2010515077.tif 000002
【特許請求の範囲】
【請求項１】
原子炉ヘッドの上部に設置されるモジュール型の原子炉上部集合体において、
地震荷重に対する支持の機能を行い、前記制御棒駆動装置に加えられる荷重を分散させるための耐震支持構造物と、前記制御棒駆動装置用耐震支持構造物の上側に位置した構成品の組み立て体である上部モジュールと、前記制御棒駆動装置用耐震支持構造物の下側に位置した構成品の組み立て体である下部モジュールとから構成され、
前記制御棒駆動装置の維持及び補修を容易に行えるように、前記上部モジュールと下部モジュールは、互いに分離可能に結合しており、前記上部モジュールは、上下が開放された円筒形状の上部シュラウドシェルと、前記上部シュラウドシェルの内部に固定されて支持され、前記制御棒駆動装置を冷却するための空気通路を形成する上部バッフルとを含むことを特徴とするモジュール型の原子炉上部集合体。
【請求項２】
前記上部モジュールは、
前記制御棒駆動装置、クレーンと連結されて力を伝達するためのシャックル、そのシャックルに連結された三脚台、及び前記冷却ファン、シャックル及び三脚台を支持し、前記上部シュラウドシェルの上部に結合するプレナムを冷却するための冷却ファンと、
前記制御棒駆動装置と連結されて電力を供給し、原子炉内に設置された計測器から発生する信号を伝達するケーブルと、
前記ケーブルを支持するためのものであり、前記上部シュラウドシェルに固定されるケーブル支持リングビームと、ケーブル支持ワイヤとを具備したケーブル支持ユニットとを含むことを特徴とする請求項１に記載のモジュール型の原子炉上部集合体。
【請求項３】
前記下部モジュールは、
上下が開放された円筒形状の下部シュラウドシェルと、
前記下部シュラウドシェルの内部に固定されて支持される下部バッフルと、
前記下部シュラウドシェルの内部に設けられ、原子炉の制御棒を引き揚げまたは挿入するための複数個の制御棒駆動装置と、
前記下部シュラウドシェルの上部に設けられ、制御棒駆動装置に加えられる荷重を外部構造物に伝達するための制御棒駆動装置用耐震支持板、耐震支持台及び耐震支持リングビームとを含むことを特徴とする請求項２に記載のモジュール型の原子炉上部集合体。
【請求項４】
前記上部シュラウドシェルと前記上部バッフルは、前記耐震支持リングビームに互いに分離可能に固定されることを特徴とする請求項３に記載のモジュール型の原子炉上部集合体。
【請求項５】
前記上部シュラウドシェルと前記上部バッフルとの下端部には、それぞれフランジが形成されており、
前記上部バッフルは、前記上部シュラウドシェルに支持され、
前記上部シュラウドシェルと前記上部バッフルに設けられたそれぞれのフランジは、前記耐震支持リングビームにボルトで結合しており、前記ボルトを解体することによって、前記上部シュラウドシェル及び上部バッフルと共に前記上部モジュールを、下部モジュールから分離することができることを特徴とする請求項４に記載のモジュール型の原子炉上部集合体。
【請求項６】
前記ケーブル支持リングビームは、前記上部シュラウドシェルの外部に固定されており、前記ケーブル支持ワイヤは、前記上部シュラウドシェルと前記上部バッフルとを貫通した後、前記ケーブルを支持することを特徴とする請求項２に記載のモジュール型の原子炉上部集合体。
【発明の詳細な説明】
【技術分野】
【０００１】
本発明は、モジュール型の原子炉上部集合体に係り、さらに詳細には、一体型原子炉上部集合体の一部をモジュール化し、除去及び組み立てを容易にすることによって、原子炉に設置された制御棒駆動装置の維持及び補修を簡便にできるモジュール型の原子炉上部集合体に関する。
【背景技術】
【０００２】
原子炉上部集合体とは、加圧軽水炉型原子炉ヘッドの上部に設置される構造物であって、原子炉が正常運転中であるときには、制御棒駆動装置の冷却、冷却空気の流路形成、飛散物の遮蔽、支持荷重に対する構造物の支持のような機能を行うことになり、核燃料を交換するときには、制御棒駆動装置と原子炉ヘッドとを同時に引き揚げる機能も併せて行う。
【０００３】
前述のように、原子炉上部集合体は、核燃料を交換するとき、制御棒駆動装置と原子炉ヘッドとを引き揚げる機能を行っており、核燃料再装填時に除去または分離せなばならない構造物の個数を減らすために、原子炉上部集合体を一体化するための研究が続き、特許文献１などが提示された。
【０００４】
一方、原子炉上部集合体に設置されている制御棒駆動装置６は、図１に図示されているように、原子炉ヘッド０に設置され、原子炉炉心の核反応速度を調節する制御棒を挿入及び引き出す機能を行う構造物である。前記制御棒駆動装置６は、内部に空間を有したチューブ状の構造を取っている。前記制御棒は、制御棒駆動装置６の内部に挿入された状態で上下に移動しつつ、原子炉炉心の核反応速度を調節することになる。制御棒位置指示機は、前記制御棒駆動装置６に設置され、前記制御棒の位置を感知するセンサである。モータ集合体６ａは、前記制御棒を駆動するための構成である。
【０００５】
このような制御棒駆動装置と関連した作業としては、１）モータ集合体の取替えや修理のような維持補修、２）位置指示機の取替えや修理のような維持補修、３）位置指示機の最初設置、あるいは再設置時の較正（calibration）作業などがある。
【０００６】
図２に、従来の原子炉上部集合体の一例が図示されている。
【０００７】
従来の原子炉上部集合体は、冷却ファン１、シャックル２、三脚台３などが設けられた上部プレナム（plenumプレナム）があり、その下に、シュラウドと呼ばれる環形の構造物が設けられている。そして、前記シュラウドの内部には、後述するケーブル支持ユニット、制御棒駆動装置、バッフルが配されている。
【０００８】
前記冷却ファン１は、前記制御棒駆動装置の冷却を容易にするために設置される構造物であり、前記シャックル２と三脚台３は、原子炉上部集合体全体を引き揚げるのに使われる構成であり、シャックル２がクレーン（図示せず）と連結され、シャックル２は三脚台３と連結されているので、クレーンをシャックル２と連結させた状態で上側方向の力を加え、原子炉上部集合体全体を引き揚げることになる。
【０００９】
図３は、前記シュラウド４、バッフル５、制御棒駆動装置６の配置を説明するための図面であり、図２に図示された従来の原子炉上部集合体のうち、最も下に位置した部分である。図３に図示されているように、制御棒駆動装置６の周辺をバッフル５という構造物が覆い囲っており、そのバッフル５の周辺をシュラウド４が覆い包んでいる構造である。図面上で制御棒駆動装置６は、１つのみ図示されているが、これは、バッフル５とシュラウド４とをさらに明確に表現するためのものであり、実際には、図１に図示されているように複数個の制御棒駆動装置６が設けられている。
【００１０】
前記シュラウド４は、その内部に存在する各種コンポーネントのカバーの役割を担当し、前記バッフル５は、前記シュラウド４との間に空気流通路を形成し、前記冷却ファン１によって発生した空気を円滑に流すことによって、制御棒駆動装置６と原子炉ヘッドとの冷却を容易にする構造物である。
【００１１】
一方、前記シュラウドは、上下に配されたサポートカラム７によって支えられている。
【００１２】
前記サポートカラム７は、１つのＨビームが上下に配されるものではなく、複数個のＨビームが上下に互いに連結されている構造を取っており、シュラウド４もやはり、１つのシェル状ではなく、複数枚のプレートが合わさって１層のシュラウド４を構成している。１つの原子炉上部集合体は、３層ないし５層ほどののシュラウド４から構成され、シュラウド４の層数と、１つのサポートカラム７を形成するＨビームの数とも同一である。図２に図示された原子炉上部集合体の場合、４層のシュラウド層によって構成されていることを確認することができる。
【００１３】
一方、ケーブル支持ユニットとは、制御棒駆動装置６と連結され、制御棒駆動装置６に電源を供給したり、制御棒駆動装置６の内部にある位置指示機（図示せず）から発生した信号を外部に伝達するためのケーブル１０を支持する構造物である。このようなケーブル支持ユニットは、ケーブル離隔要件を満足させる原子炉上部構造物にのみ使われる構造物である。ケーブル支持ユニットは、制御棒駆動装置６の上部に設けられており、図２に「Ｃ」で表示された部分に位置する。図４には、ケーブル支持ユニットによって、ケーブル１０が支持された状態が図示されている。
【００１４】
前記ケーブル支持ユニットは、図４に図示されているように、ケーブル支持リングビーム８と多数のケーブル支持ワイヤ９とによって構成されており、前記ケーブル支持ワイヤ９は、上下に何層か設けられ、格子状に構成されており、ケーブル１０間に一定間隔が維持された状態で、ケーブル１０を支持できるようになっている。一方、ケーブル支持ワイヤ９は、ケーブル支持リングビーム８に両端部が固定されており、バッフル５を貫通した状態で、ケーブル１０を支持している。
【００１５】
このような従来の原子炉上部集合体において、制御棒駆動装置６と関連した作業を行うためには、冷却ファン１、シャックル２、三脚台３及びプレナムをまず引き揚げ、その下に別途に設置されているケーブル支持ワイヤ９などのケーブル支持構造物を解体し、ケーブル１０とケーブル支持構造物とを除去した後、バッフル５を分離しなければならなかった。
【００１６】
このように、原子炉上部集合体の一部構成要素を個別的に分解して分離または除去を行う作業は、非常に長時間がかかり、一部構成部品の場合には、分解する過程で、変形が引き起こされることもある。また、分解する過程で変形が生じた場合、かような変形によって、前述の制御棒駆動装置と関連した作業が完了した後に、再組み立てを行いがたい場合も発生しうる。
【００１７】
一方、制御棒駆動装置の上部にある構造物をいずれも分解し、分離または除去するということは、あまりにも長い時間がかかるので、一部構成部品のみを分解し、分離または除去して作業を行う場合も発生するが、そのときに、十分な作業空間が確保できない問題点があった。
【先行技術文献】
【特許文献】
【００１８】
【特許文献１】大韓民国公開特許第２０００−７４９５７号公報の「一体型原子炉上部集合体」
【発明の概要】
【発明が解決しようとする課題】
【００１９】
本発明は、前述の問題点を解決するために導き出されたものであり、本発明の目的は、制御棒駆動装置と関連した作業を容易に行えるようにするために、その構成の一部を簡単に分解できるモジュール型の原子炉上部集合体を提供するところにある。
【課題を解決するための手段】
【００２０】
前述の目的を達成するために本発明は、原子炉ヘッドの上部に設置されるモジュール型の原子炉上部集合体において、地震荷重に対する支持の機能を行い、前記制御棒駆動装置に加えられる荷重を分散させるための耐震支持構造物と、前記制御棒駆動装置用耐震支持構造物の上側に位置した構成品の組み立て体である上部モジュールと、前記制御棒駆動装置用耐震支持構造物の下側に位置した構成品の組み立て体である下部モジュールとから構成され、前記制御棒駆動装置の維持及び補修を容易に行えるように、前記上部モジュールと下部モジュールは、互いに分離可能に結合していることを特徴とするモジュール型上部集合体を提供する。
【００２１】
前記上部モジュールは、上下が開放された円筒形状の上部シュラウドシェル；前記上部シュラウドシェルの内部に固定されて支持され、前記制御棒駆動装置を冷却するための空気通路を形成する上部バッフル；前記制御棒駆動装置、クレーンと連結されて力を伝達するためのシャックル、そのシャックルに連結された三脚台、及び前記冷却ファン、シャックル及び三脚台を支持し、前記上部シュラウドシェルの上部に結合するプレナムを冷却するための冷却ファン；前記制御棒駆動装置と連結されて電力を供給し、原子炉内に設置された計測器から発生する信号を伝達するケーブル；前記ケーブルを支持するためのものであり、前記上部シュラウドシェルに固定されるケーブル支持リングビームと、ケーブル支持ワイヤとを具備したケーブル支持ユニットを含むことが望ましい。
【００２２】
前記下部モジュールは、上下が開放された円筒形状の下部シュラウドシェルと、前記下部シュラウドシェルの内部に固定されて支持される下部バッフルと、前記下部シュラウドシェルの内部に設けられ、原子炉の制御棒を引き揚げまたは挿入するための複数個の制御棒駆動装置と、前記下部シュラウドシェルの上部に設けられ、制御棒駆動装置に加えられる荷重を外部構造物に伝達するための制御棒駆動装置用耐震支持板、耐震支持台及び耐震支持リングビームとを含むことが望ましい。
【００２３】
前記上部シュラウドシェルと前記上部バッフルは、前記耐震支持リングビームに互いに分離可能に固定されることが望ましい。
【００２４】
前記上部シュラウドシェルと前記上部バッフルとの下端部には、それぞれフランジが形成されており、前記上部バッフルは、前記上部シュラウドシェルに支持され、前記上部シュラウドシェルと前記上部バッフルとに設けられたそれぞれのフランジは、前記耐震支持リングビームにボルトで結合しており、前記ボルトを解体することによって、前記上部シュラウドシェル及び上部バッフルと共に前記上部モジュールを、下部モジュールから分離することができることが望ましい。
【００２５】
前記ケーブル支持リングビームは、前記上部シュラウドシェルの外部に固定されており、前記ケーブル支持ワイヤは、前記上部シュラウドシェルと前記上部バッフルとを貫通した後で、前記ケーブルを支持することが望ましい。
【発明の効果】
【００２６】
本発明は、原子炉上部集合体の一部を一時に除去または設置できる多数の積層モジュール構造を特徴とするモジュール型の原子炉上部集合体を提供するものであり、比較的簡単な分解過程を介して、原子炉上部集合体の一部を除去することによって、作業者が原子炉上部集合体の内部に位置した制御棒駆動装置の維持、補修作業を容易に行うことができ、最初設置過程で、モジュール型の原子炉上部集合体の移動及び取扱いが容易であるという長所を併せ持っている。
【００２７】
また、モジュール化された集合体形態の原子炉上部集合体を提供することによって、工場製作を容易にし、現場作業を最小化することによって、構造物の製作完成度を高めることができる。
【図面の簡単な説明】
【００２８】
【図１】制御棒駆動装置を説明するための図面である。
【図２】従来の原子炉上部集合体を説明するための図面である。
【図３】図１に図示された原子炉上部集合体の内部構造を説明するための図面である。
【図４】ケーブル支持ユニットを説明するための図面である。
【図５】本発明の一実施例によるモジュール型の原子炉上部集合体の上部モジュールを説明するための図面である。
【図６】図５に図示された上部モジュールで、上部シュラウドシェルを除去した状態を図示した図面である。
【図７】図５に図示されたケーブル支持ユニットを説明するための図面である。
【図８】本発明の一実施例によるモジュール型の原子炉上部集合体の下部モジュールを説明するための図面である。
【図９】図８に図示された上部モジュールと図６に図示された下部モジュールとが結合した状態を図示した図面である。
【図１０】図６に図示された下部モジュールのうち、制御棒駆動装置用耐震支持板を説明するための図面である。
【発明を実施するための形態】
【００２９】
以下では、図面を参照しつつ、本発明の一実施例について詳細に説明する。
【００３０】
図５は、本発明の一実施例によるモジュール型の原子炉上部集合体の上部モジュールを説明するための図面であり、図６は、図５に図示された上部モジュールで、上部シュラウドシェルを除去した状態を図示した図面であり、図７は、図５に図示されたケーブル支持ユニットを説明するための図面であり、図８は、本発明の一実施例によるモジュール型の原子炉上部集合体の下部モジュールを説明するための図面であり、図９は、図８に図示された上部モジュールと図６に図示された下部モジュールとが結合された状態を図示した図面であり、図１０は、図６に図示された下部モジュールのうち、制御棒駆動装置用耐震支持板を説明するための図面である。
【００３１】
本実施例によるモジュール型の原子炉上部集合体は、上部モジュールと下部モジュールとに大別される。
【００３２】
原子炉上部集合体は、周知のように、原子炉ヘッド０（図１）の上部に設置される。原子炉上部集合体は、制御棒駆動装置の引き揚げ及び挿入、制御棒駆動装置の冷却、飛散物の遮蔽機能と共に、制御棒駆動装置を地震荷重から支持する機能を行う。
【００３３】
前記原子炉上部集合体には、前記原子炉上部集合体に加えられる荷重を分散するための耐震支持構造物が設けられている。前記耐震支持構造物には、耐震支持板２４０（図８）、耐震支持リングビーム２５０などが含まれている。
【００３４】
前記制御棒駆動装置用耐震支持板２４０には、前記制御棒駆動装置の上端部を保護するためのキャップ２４１と、ケーブルとの連結のためのケーブル連結端子２４２とが設けられている。前記ケーブル連結端子２４２には、制御棒駆動装置に電源を供給する電源ケーブルと、制御棒の位置を把握するための位置指示機（図示せず）のケーブルとが連結されるが、位置指示機は、制御棒駆動装置の内部に、その中間から上端まで垂直に設置されるセンサである。
【００３５】
前記制御棒駆動装置と関連した作業としては、前述のように、モータ集合体の取替えや修理のような維持補修、位置指示機の取替えや修理のような維持補修、位置指示機の最初設置あるいは再設置時の較正作業などの作業があり、このような作業を効果的に行うためには、作業者が制御棒駆動装置用耐震支持板の真上で、十分な空間を確保した状態で作業を行う必要があり、従って、制御棒駆動装置用耐震支持構造物の上部にある構造物を完全に除去することが非常に効果的であるといえる。
【００３６】
このような要求によって、本発明のモジュール型の原子炉上部集合体は、制御棒駆動装置用耐震支持構造物の上側に位置した構成品の組み立て体である上部モジュール１００と、制御棒駆動装置用耐震支持構造物の下側に位置した構成品の組み立て体である下部モジュール２００とからなる。
【００３７】
以下では、図５ないし図７を参照しつつ、上部モジュール１００について詳細に説明する。
【００３８】
前記上部モジュール１００は、図５に図示されているように、上部シュラウドシェル１１０、上部バッフル１２０、プレナム１３０、ケーブル及びケーブル支持ユニット１５０を含んでいる。
【００３９】
上部シュラウドシェル１１０は、上下が開放された円筒形の構造物であって、全体が１つのシェルで製作されうる。上部シュラウドシェル１１０は、原子炉上部集合体の最外郭を覆い包むカバーの役割を行うと同時に、上部バッフル１２０、プレナム１３０、ケーブル及びケーブル支持ユニット１５０のような構成を全体的に支持する役割を行う。
【００４０】
前記上部シュラウドシェル１１０の下端部には、外周側に突出したフランジ１１１が形成されており、そのフランジ１１１には、一定の間隔で貫通孔が形成されている。
【００４１】
一方、前記上部シュラウドシェル１１０の一部には、ドア１１２が設置され、原子炉上部集合体の内部に入っていき、ケーブルを前記ケーブル連結端子２４２から分離するなどの任務を行うことができる。また、前記ドア１１２を介して、上部モジュール１００の内部に設けられるケーブルが外部に連結される。上部シュラウドシェル１１０に設けられたドア１１２の外側には、ケーブル連結板１１３が設置されており、前記ケーブルと連結されている。ケーブルブリッジ１１４は、前記ケーブルとの連結のために、前記ケーブル連結板１１３と共に、前記上部シュラウドシェル１１０に設けられたドア１１２の外側に設置される。前記ケーブルブリッジ１１４は、前記ケーブルの、本発明によるモジュール型の原子炉上部集合体の内部から外部への伝達経路を提供し、前記ケーブルの、前記ケーブル連結板１１３を介した前記ケーブル連結端子２４２への連結作業を可能にする役割を行う。
【００４２】
前記上部バッフル１２０は、図６に図示されているが、図６は、図５に図示された上部モジュールで、上部シュラウドシェル１１０を除去した状態を図示したものである。
【００４３】
前記上部バッフル１２０は、制御棒駆動装置を覆い包む多角形状の薄い板型構造物であって、シェル形状である上部シュラウドシェル１１０の内側に固定されて支持される。
【００４４】
前記上部シュラウドシェル１１０と上部バッフル１２０との間の空間を介して、制御棒駆動装置を冷却した熱くなった空気が冷却ファンによって案内され、従って、上部バッフル１２０は、制御棒駆動装置を冷却するための空気通路を形成する役割を行う。
【００４５】
前記上部バッフル１２０の下端部にも、前記上部シュラウドシェル１１０と同様にフランジが形成されており、ただし、その方向が上部シュラウドシェル１１０と反対に内周側に突出されている。
【００４６】
前記プレナム１３０は、冷却板１３１、シャックル１３２及び三脚台１３３を支持する構造物であり、前記上部シュラウドシェル１１０の上部に設置される。プレナム１３０は、上部シュラウドシェル１１０と上部バッフル１２０との間の空間を介して上昇した空気が、冷却ファン１３１の吸入口に入る前に合流する空間を提供する役割も併せて行う。
【００４７】
前記冷却ファン１３１、シャックル１３２及び三脚台１３３については、従来技術の部分ですでに説明され、本発明での冷却ファン１３１、シャックル１３２及び三脚台１３３は、すでに説明された部分と実質的に同一なので、これ以上の詳細な説明は省略する。
【００４８】
前記ケーブルは、従来技術を説明する部分で説明された図４に詳細に図示されているが、本発明でのケーブルもやはり、従来のケーブルと同一に、制御棒駆動装置用耐震支持板２４０に設けられたケーブル連結端子２４２を介して、制御棒駆動装置と連結される。前記ケーブルは、制御棒駆動装置に電源を供給するケーブルと、原子炉内に設置された位置指示機から発生する信号を、前記ドア１１２及び前記ケーブルブリッジ１１４に設けられるケーブル連結板１１３を介して原子炉上部集合体の外部に伝達するケーブルとに分けられる。
【００４９】
前記ケーブル支持ユニット１５０は、ケーブル支持リングビーム１５１と、ケーブル支持ワイヤ１５２とを含んでいる。前記ケーブル支持ユニット１５０は、図５及び図７に図示されているが、図７は、ケーブル支持ユニット１５０のみを図示した図面である。
【００５０】
前記ケーブル支持リングビーム１５１は、図５に図示されているように、上部シュラウドシェル１１０の外部に固定されている。
【００５１】
前記ケーブル支持ワイヤ１５２は、その両端が前記ケーブル支持リングビーム１５１に固定され、実質的に、前記ケーブルを支持する役割を担当する。ケーブル支持ワイヤ１５２は、図７に図示されているように格子状に配列され、上下に何層かで配列される。ケーブル支持ワイヤ１５２の一端部は、ケーブル支持リングビーム１５１に固定され、上部シュラウドシェル１１０、上部バッフル１２０を順に貫通した状態でケーブルを支持し、また、上部バッフル１２０及び上部シュラウドシェル１１０を順に貫通した後、その他端部がケーブル支持リングビーム１５１に固定される形態を取る。
【００５２】
以下では、図８及び図１０を参照しつつ、下部モジュール２００について詳細に説明する。
【００５３】
下部モジュール２００は、下部シュラウドシェル２１０、下部バッフル２２０、制御棒駆動装置、耐震支持板２４０、耐震支持台２５２、耐震支持リングビーム２５０、メインカラム２６０を含んでいる。
【００５４】
前記下部シュラウドシェル２１０は、前記上部シュラウドシェル１１０と同様に、上下が開放された円筒形状のシェルであって、その下端部には、フランジ（図示せず）が形成されており、原子炉ヘッド０の上部に結合する。一方、下部シュラウドシェル２１０には、冷却空気が流入する窓と、制御棒駆動装置と原子炉ヘッドとを点検する作業者の出入のための下部ドアが設けられている。
【００５５】
前記下部シュラウドシェル２１０の上部には、作業者が作業を行うための作業台２１１と欄干２１２とが設けられている。
【００５６】
前記下部バッフル２２０は、前記下部シュラウドシェル２１０の内部に固定されて支持され、その構造、機能及び下部シュラウドシェル２１０との連結関係は、前記上部バッフル１２０の構造、機能及び前記上部バッフル１２０と上部シュラウドシェル１１０との間の連結関係とほぼ類似しており、その関係は、すでに図６を参照しつつ説明されたので、それ以上の詳細な説明は省略する。
【００５７】
前記制御棒駆動装置は、前記下部バッフル２２０の内部に複数個が設置されており、図８には、下部バッフル２２０に隠れた状態であって図示されていないが、すでに、図１ないし図４と関連した従来技術分野で説明された部分であるので、それ以上の詳細な説明は省略する。
【００５８】
前記制御棒駆動装置用耐震支持板２４０は、すでに説明した通り、制御棒駆動装置の上部に設置される構造物であって、制御棒駆動装置の上端部を保護するキャップ２４１と、ケーブルとの連結のためのケーブル連結端子２４２とが設置されている。制御棒駆動装置用耐震支持板２４０は、制御棒駆動装置の運転中の振動や地震発生時に伝達される荷重などを、水平に前記耐震支持リングビーム２５０に伝達する役割を担当する。
【００５９】
前記耐震支持リングビーム２５０は、前記制御棒駆動装置用耐震支持板２４０から伝えられた荷重を、耐震支持台２５２を介して原子炉上部集合体の外部に設けられた構造物の格納庫に伝達するための構成である。
【００６０】
前記耐震支持リングビーム２５０には、ボルト孔２５１が複数個設けられており、前記上部シュラウドシェル１１０に設けられたフランジ１１１に形成された貫通孔を貫通したボルトによって、上部シュラウドシェル１１０と分離可能に結合する。
【００６１】
一方、上部バッフル１２０にもフランジが設けられており、貫通孔が形成されているので、上部バッフル１２０も、耐震支持リングビーム２５０とボルトによって結合できる。ただし、上部シュラウドシェル１１０の場合には、荷重を支持する役割を行うのに対して、上部バッフル１２０は、荷重を支持しない代わりに、単に空気通路を提供する目的があり、上部シュラウドシェル１１０に固定されているので、耐震支持リングビーム２５０の上部に据え置かれる方式で、耐震支持リングビーム２５０と結合することもできる。
【００６２】
前記耐震支持リングビーム２５０の高さは、前記制御棒駆動装置用耐震支持板２４０と同一であり、やはり同じ高さに前記作業台２１１が設けられている。
【００６３】
制御棒駆動装置と関連したさまざまな作業を行うためには、制御棒駆動装置用耐震支持板２４０が露出された状態になることが最も望ましいが、前記制御棒駆動装置用耐震支持板２４０の高さと、前記制御棒駆動装置用耐震支持板２４０の高さとが同一であるので、前記耐震支持リングビーム２５０と、上部モジュール１００の上部シュラウドシェル１１０と、上部バッフル１２０とを結合させる。また、耐震支持リングビーム２５０は、比較的剛性の大きい（rigid）構造物であるので、耐震支持リングビーム２５０に、上部モジュール１００の上部シュラウドシェル１１０と上部バッフル１２０とを結合することが構造的にも、非常に安定した効果が発生することになる。
【００６４】
前記メインカラム２６０は、原子炉ヘッド０と直接連結され、上部モジュール１００と下部モジュール２００とを貫通した後で三脚台１３３と連結される構造物であり、図９に図示されているように、上部モジュール１００と下部モジュール２００とが組み立てられた状態で原子炉上部集合体全体を引き揚げるとき、原子炉上部集合体に及ぶ荷重を支えるロッド状の構造物である。メインカラム２６０は、上部モジュール１００を引き揚げる場合、原子炉ヘッド０に固定されたままで、下部モジュール２００と共に残ることになる。
【００６５】
以下では、図９に図示されているように、上部モジュール１００と下部モジュール２００とが互いに結合した状態で、制御棒駆動装置と関連した作業を行うために、上部モジュール１００を下部モジュール２００から分離する方法の一実施例について説明する。
【００６６】
上部モジュール１００と下部モジュール２００とを互いに分離するためには、まず上部シュラウドシェル１１０の外部に設けられたケーブル連結板１１３からケーブルを分離する。ケーブルを分離しようとするなら、作業者が、上部シュラウドシェル１１０に設けられたドア１１２を介して、上部シュラウドシェル１１０の内部に入った後、ケーブルとケーブル連結端子２４２との結合を分離せねばならない。
【００６７】
ケーブルとケーブル連結端子２４２の結合が解除されれば、プレナム１３０上部の三脚台１３３とメインカラム２６０との結合を解除する。
【００６８】
三脚台１３３とメインカラム２６０とが互いに分離されれば、上部シュラウドシェル１１０の内部で、上部バッフル１２０と耐震支持リングビーム２５０とのボルト結合を解除するが、前述のように、上部バッフル１２０のフランジが単に耐震支持リングビーム２５０に据え置かれる方式で結合される場合ならば、ボルト結合を解除する必要がない。
【００６９】
その後、作業台２１１で、上部シュラウドシェル１１０と耐震支持リングビーム２５０とのボルト結合を解除し、その作業が終われば、上部モジュール１００と下部モジュール２００との結合がいずれも解除されて互いに分離できる状態となる。
【００７０】
この状態で、シャックル１３２にクレーンを連結して上側方向の力を加えれば、上部モジュール１００が除去され、図８に図示されているような状態となる。このとき、メインカラム２６０は、前述のように、原子炉ヘッド０と連結された状態を維持し、耐震支持リングビーム２５０に比べて、上部に突出した状態で残るようになる。
【００７１】
この状態になれば、制御棒駆動装置と関連した作業を行うための作業空間が十分に確保され、非常に穏やかな状態で作業が行える。
【００７２】
前記では、耐震支持リングビームが下部モジュールに含まれ、上部モジュールが耐震支持リングビームに互いに分離可能に結合する実施例について説明したが、必ずしもかような構成を取らねばならないわけではなく、耐震支持リングビームが上部モジュールに含まれ、下部モジュールと耐震支持リングビームとが互いに分離可能に結合する実施例も可能であり、その場合にも、制御棒駆動装置用耐震支持板を露出することによって、制御棒駆動装置と関連した作業を容易に行えるという本発明の効果を期待することができる。
【００７３】
以上で、本発明の望ましい実施例について説明したが、本発明の技術的思想が、説明された実施例に限定されるものではなく、本発明の技術的思想に反さない範囲内で、多様な形態のモジュール型の原子炉上部集合体として具体化されうる。
【図１】
2010515077.tif 000003
【図２】
2010515077.tif 000004
【図３】
2010515077.tif 000005
【図４】
2010515077.tif 000006
【図５】
2010515077.tif 000007
【図６】
2010515077.tif 000008
【図７】
2010515077.tif 000009
【図８】
2010515077.tif 000010
【図９】
2010515077.tif 000011
【図１０】
2010515077.tif 000012
【国際調査報告】
2010515077.tif 000013
2010515077.tif 000014